(57)【特許請求の範囲】
【請求項１】
釣り人側とは反対側に釣り針が設けられた釣り糸と、前記釣り糸の前記釣り針側に設けられた一つあるいは複数の映像撮影手段と、前記釣り糸の前記釣り人側に設けられた前記釣り糸を巻き取る回転手段及び該回転手段を保持する保持手段を備えた巻き取り手段と、前記釣り人側に設けられた一つあるいは複数の映像表示手段とを具備し、前記巻き取り手段は、前記映像撮影手段で撮像した撮像信号が前記釣り糸を信号伝達の経路として用いて前記映像表示手段へと伝達されるように前記回転手段と前記保持手段との間を介して信号伝達手段が設けられ、
前記信号伝達手段は、同心円上の任意の位置に配置された一つまたは複数の第１の導電体からなり、かつ前記釣り糸の前記釣り人側の一端に接続された第１の電極と、前記第１の電極の配置される同心円に対して相対する同心円上の任意の位置に配置された一つまたは複数の第２の導電体からなり、かつ前記映像撮影手段に接続された第２の電極とを備え、前記第１の電極と前記第２の電極が１点あるいは複数の点にて常に接することにより前記映像撮影手段からの映像信号を前記映像表示手段に伝達するようにしたことを特徴とする撮像装置を用いた釣り具。
【請求項２】
釣り人側とは反対側に釣り針が設けられた釣り糸と、前記釣り糸の前記釣り針側に設けられた一つあるいは複数の映像撮影手段と、前記釣り糸の前記釣り人側に設けられた前記釣り糸を巻き取る回転手段及び該回転手段を保持する保持手段を備えた巻き取り手段と、前記釣り人側に設けられた一つあるいは複数の映像表示手段とを具備し、前記巻き取り手段には、前記映像撮影手段で撮像した撮像信号が前記釣り糸を信号伝達の経路として用いて前記映像表示手段へと伝達されるように前記回転手段と前記保持手段との間を介して信号伝達手段が設けられ、前記信号伝達手段と前記映像撮影手段との間には、前記映像信号を変調して変調信号を生成する変調手段が設けられ、前記信号伝達手段と前記映像表示手段との間には、前記変調信号を復調して復調映像信号を生成する復調手段が設けられ、
前記信号伝達手段は、同心円上の任意の位置に配置された一つまたは複数の第１の導電体からなり、かつ前記釣り糸の前記釣り人側の一端に接続された第１の電極と、前記第１の電極の配置される同心円に対して相対する同心円上の任意の位置に配置された一つまたは複数の第２の導電体からなり、かつ前記映像撮影手段に接続された第２の電極とを備え、前記第１の電極と前記第２の電極が１点あるいは複数の点にて常に接することにより前記映像撮影手段からの映像信号を前記映像表示手段に伝達するようにしたことを特徴とする撮像装置を用いた釣り具。
【請求項３】
釣り人側とは反対側に釣り針が設けられた釣り糸と、前記釣り糸の前記釣り針側に設けられた複数の映像撮影手段と、前記釣り糸の前記釣り人側に設けられた前記釣り糸を巻き取る回転手段及び該回転手段を保持する保持手段を備えた巻き取り手段と、前記釣り人側に設けられた映像表示手段とを具備し、前記巻き取り手段には、前記映像撮影手段で撮像した撮像信号が前記釣り糸を信号伝達の経路として用いて前記映像表示手段へと伝達されるように前記回転手段と前記保持手段との間を介して信号伝達手段が設けられ、前記信号伝達手段と前記映像撮影手段との間には、複数の前記映像撮影手段からの複数の前記撮像信号をそれぞれ受けて複数の変調映像信号を出力する複数の変調手段と、前記複数の変調手段からの複数の前記変調映像信号を入力して混合し混合信号を出力する混合手段とを備え、前記信号伝達手段と前記映像表示手段との間には、前記混合信号を複数の変調映像信号に分離する分離手段と、前記分離手段により分離された複数の前記変調映像信号を複数の前記復調手段により復調し複数の復調映像信号を出力し、複数の前記復調信号から一つを選択して前記映像表示手段に出力する切り替え手段とを備え、
前記信号伝達手段は、同心円上の任意の位置に配置された一つまたは複数の第１の導電体からなり、かつ前記釣り糸の前記釣り人側の一端に接続された第１の電極と、前記第１の電極の配置される同心円に対して相対する同心円上の任意の位置に配置された一つまたは複数の第２の導電体からなり、かつ前記映像撮影手段に接続された第２の電極とを備え、前記第１の電極と前記第２の電極が１点あるいは複数の点にて常に接することにより前記映像撮影手段からの映像信号を前記映像表示手段に伝達するようにしたことを特徴とする撮像装置を用いた釣り具。
【請求項４】
前記第１の電極は、同心円の中心角を当分する位置に配置されることを特徴とする請求項１または２または３に記載の撮像装置を用いた釣り具。
【請求項５】
変調手段及び復調手段は、周波数変調であることを特徴とする請求項２または３に記載の撮像装置を用いた釣り具。
【請求項６】
前記巻き取り手段の回転を検出する回転検出手段と、前記回転検出手段により制御され、釣り糸の信号伝達の経路を開閉するためのスイッチを具備したことを特徴とする請求項１または２または３に記載の撮像装置を用いた釣り具。
【請求項７】
前記信号伝達手段は、一つまたは複数の発光手段と、一つまたは複数の受光手段とを備え、前記映像撮影手段から出力された映像信号が、前記釣り糸を介して前記発光手段に入力されて光信号に変換され、前記光信号が前記受光手段に入力されて映像信号に変換されて前記映像表示手段に出力されることを特徴とする請求項１または２または３に記載の撮像装置を用いた釣り具。
【請求項８】
前記発光手段より出力された光は可視光でないことを特徴とする請求項７に記載の撮像装置を用いた釣り具。
【請求項９】
前記発光手段および前記受光手段が、前記巻き取り手段の中心軸上に位置することを特徴とする請求項７に記載の撮像装置を用いた釣り具。
【請求項１０】
前記受光手段の光入力部が光ファイバーであることを特徴とする請求項７に記載の撮像装置を用いた釣り具。
【請求項１１】
前記巻き取り手段内に電池を内蔵し、前記釣り糸を通じて映像撮影手段に電力を供給することを特徴とする請求項１または２または３に記載の撮像装置を用いた釣り具。
【請求項１２】
前記巻き取り手段の釣り糸巻き取り時の回転により発電を行う発電機を前記巻き取り手段に内蔵し、前記発電機の出力を前記電池に接続したことを特徴とする請求項１１に記載の撮像装置を用いた釣り具。
【発明の詳細な説明】
【０００１】
【発明の属する技術分野】
本発明は、魚釣り等で使用し水中の様子を撮影するための撮像装置を用いた釣り具に関するものである。
【０００２】
【従来の技術】
近年、アウトドアライフと称して自然に親しむことがブームとなり、その実現手段の一つとして魚釣りがクローズアップされている。これまで魚釣りは一部の人の趣味であったが、今日では一般的な趣味となっており、従来の餌を用いた釣りの他にもスポーツキャスティングと称するルアー（疑似餌）を用いたもの等、釣りたい魚の種類や釣りを行う場所等に応じて様々な方法が提案され、多様化が進んでいる。
【０００３】
ここで一般的な釣りの方法について説明すると、例えば釣り具については炭素繊維を材料とする釣り竿と、ナイロン等からなる釣り糸と、釣り糸の先に結びつけられた錘及び針糸等から構成される。そして釣り人は、前記釣り具を用いて魚のいそうな場所に餌のついた針を落とし、ひたすら魚のあたりを待つことになる。
【０００４】
この方法は一般的な魚釣りの方法であり、昔から行われてきた方法であるが、魚が針を降ろした付近の水中にいるかどうかは地上から確認することが難しく、実際に魚が釣れるかどうかは経験と運に左右されることが多かった。
【０００５】
この問題を解決するため、釣り具に用いる釣り糸を例えば光ファイバーで構成すると共に、釣り糸の釣り針側に、ルアーまたは浮き等と一体化された小型テレビカメラを、またその釣り人側にモニターテレビをそれぞれ設け、小型テレビカメラで撮影された水中映像を光ファイバーを用いた釣り糸を介して伝達し、モニターテレビに表示する構成が提案されている（特開平１０−１１３１０９号公報）。この特開平１０−１１３１０９号公報によれば、この手段を用いることにより、釣り人は小型テレビカメラで撮影された水中映像により魚の集まり具合や動きを観察しながら、しかも映像装置と釣り具を同時に操作しながら、釣りを楽しむことができるとされている。
【０００６】
【発明が解決しようとする課題】
しかしながら前記従来例の構成では、釣り糸線の長さが固定されているため、様々な環境下にある自然の条件下では、魚がいると思われるポイントに餌のついた針を持っていくことが難しい。また、投げ釣り等遠くのポイントに餌を投げることもできない。そして、海など魚がいると思われるポイントが非常に深いところでも使用することが難しい等の問題があった。前述の特許公開公報でも釣り糸の長さを調整できるリールについては触れられているが、その具体的な構成については言及されていない。
【０００７】
本発明は上記課題を解決するもので、撮像装置を用いた釣り具の利便性を高めることにある。
【０００８】
【課題を解決するための手段】
本発明に係る第１の撮像装置を用いた釣り具は、釣り人側とは反対側に釣り針が設けられた釣り糸と、前記釣り糸の前記釣り針側に設けられた一つあるいは複数の映像撮影手段と、前記釣り糸の前記釣り人側に設けられた前記釣り糸を巻き取る回転手段及び該回転手段を保持する保持手段を備えた巻き取り手段と、前記釣り人側に設けられた一つあるいは複数の映像表示手段とを具備し、前記巻き取り手段は、前記映像撮影手段で撮像した撮像信号が前記釣り糸を信号伝達の経路として用いて前記映像表示手段へと伝達されるように前記回転手段と前記保持手段との間を介して信号伝達手段が設けられ、前記信号伝達手段は、同心円上の任意の位置に配置された一つまたは複数の第１の導電体からなり、かつ前記釣り糸の前記釣り人側の一端に接続された第１の電極と、前記第１の電極の配置される同心円に対して相対する同心円上の任意の位置に配置された一つまたは複数の第２の導電体からなり、かつ前記映像撮影手段に接続された第２の電極とを備え、前記第１の電極と前記第２の電極が１点あるいは複数の点にて常に接することにより前記映像撮影手段からの映像信号を前記映像表示手段に伝達するようにしたことを特徴とする。
【０００９】
本発明に係る第２の撮像装置を用いた釣り具は、釣り人側とは反対側に釣り針が設けられた釣り糸と、前記釣り糸の前記釣り針側に設けられた一つあるいは複数の映像撮影手段と、前記釣り糸の前記釣り人側に設けられた前記釣り糸を巻き取る回転手段及び該回転手段を保持する保持手段を備えた巻き取り手段と、前記釣り人側に設けられた一つあるいは複数の映像表示手段とを具備し、前記巻き取り手段には、前記映像撮影手段で撮像した撮像信号が前記釣り糸を信号伝達の経路として用いて前記映像表示手段へと伝達されるように前記回転手段と前記保持手段との間を介して信号伝達手段が設けられ、前記信号伝達手段と前記映像撮影手段との間には、前記映像信号を変調して変調信号を生成する変調手段が設けられ、前記信号伝達手段と前記映像表示手段との間には、前記変調信号を復調して復調映像信号を生成する復調手段が設けられ、前記信号伝達手段は、同心円上の任意の位置に配置された一つまたは複数の第１の導電体からなり、かつ前記釣り糸の前記釣り人側の一端に接続された第１の電極と、前記第１の電極の配置される同心円に対して相対する同心円上の任意の位置に配置された一つまたは複数の第２の導電体からなり、かつ前記映像撮影手段に接続された第２の電極とを備え、前記第１の電極と前記第２の電極が１点あるいは複数の点にて常に接することにより前記映像撮影手段からの映像信号を前記映像表示手段に伝達するようにしたことを特徴とする。
【００１０】
本発明に係る第３の撮像装置を用いた釣り具は、釣り人側とは反対側に釣り針が設けられた釣り糸と、前記釣り糸の前記釣り針側に設けられた複数の映像撮影手段と、前記釣り糸の前記釣り人側に設けられた前記釣り糸を巻き取る回転手段及び該回転手段を保持する保持手段を備えた巻き取り手段と、前記釣り人側に設けられた映像表示手段とを具備し、前記巻き取り手段には、前記映像撮影手段で撮像した撮像信号が前記釣り糸を信号伝達の経路として用いて前記映像表示手段へと伝達されるように前記回転手段と前記保持手段との間を介して信号伝達手段が設けられ、前記信号伝達手段と前記映像撮影手段との間には、複数の前記映像撮影手段からの複数の前記撮像信号をそれぞれ受けて複数の変調映像信号を出力する複数の変調手段と、前記複数の変調手段からの複数の前記変調映像信号を入力して混合し混合信号を出力する混合手段とを備え、前記信号伝達手段と前記映像表示手段との間には、前記混合信号を複数の変調映像信号に分離する分離手段と、前記分離手段により分離された複数の前記変調映像信号を複数の前記復調手段により復調し複数の復調映像信号を出力し、複数の前記復調信号から一つを選択して前記映像表示手段に出力する切り替え手段とを備え、前記信号伝達手段は、同心円上の任意の位置に配置された一つまたは複数の第１の導電体からなり、かつ前記釣り糸の前記釣り人側の一端に接続された第１の電極と、前記第１の電極の配置される同心円に対して相対する同心円上の任意の位置に配置された一つまたは複数の第２の導電体からなり、かつ前記映像撮影手段に接続された第２の電極とを備え、前記第１の電極と前記第２の電極が１点あるいは複数の点にて常に接することにより前記映像撮影手段からの映像信号を前記映像表示手段に伝達するようにしたことを特徴とする。
【００１１】
第１または２または３の撮像装置を用いた釣り具において、前記第１の電極は、同心円の中心角を当分する位置に配置されることがより好ましい。
【００１２】
第２または３の撮像装置を用いた釣り具において、変調手段及び復調手段は、周波数変調であることが好ましい。
【００１３】
第１または２または３の撮像装置を用いた釣り具において、前記巻き取り手段の回転を検出する回転検出手段と、前記回転検出手段により制御され、釣り糸の信号伝達の経路を開閉するためのスイッチを具備することが好ましい。
【００１４】
第１または２または３の撮像装置を用いた釣り具において、前記信号伝達手段は、一つまたは複数の発光手段と、一つまたは複数の受光手段とを備え、前記映像撮像手段から出力された映像信号が、前記釣り糸を介して前記発光手段に入力されて光信号に変換され、前記光信号が前記受光手段に入力されて映像信号に変換されて前記映像表示手段に出力されることが好ましく、さらには、前記発光手段より出力された光は可視光でないことがより好ましく、また、前記発光手段および前記受光手段が、前記巻き取り手段の中心軸上に位置することがより好ましく、また、前記受光手段の光入力部が光ファイバーであることがより好ましい。
【００１５】
第１または２または３の撮像装置を用いた釣り具において、前記巻き取り手段内に電池を内蔵し、前記釣り糸を通じて映像撮影手段に電力を供給することが好ましく、さらには、前記巻き取り手段の釣り糸巻き取り時の回転により発電を行う発電機を前記巻き取り手段に内蔵し、前記発電機の出力を前記電池に接続することがより好ましい。
【００１６】
【発明の実施の形態】
上記構成を用いることで、釣り人は釣り糸の長さを自由に制御しつつ、実際に映像で水中の様子を確認しながら釣りを楽しむことができる。様々な環境下でも魚がいると思われるポイントに餌のついた針を持っていくことができ、また海など魚がいると思われるポイントが非常に深いところでも使用することができるようになり、撮像装置を用いた釣り具の適用範囲を大きく広げることが可能になる。
【００１７】
以下、本発明の実施の形態について、図面を参照しながら説明する。
【００１８】
（実施の形態１）
図１は、本発明の第１の実施の形態における撮像装置を用いた釣り具の全体の構成を示すものである。図２は、本発明の第１の実施の形態におけるケーブル巻き上げリール付近に着目した図である。これらの図を基に、本実施の形態の構成及び動作について説明する。
【００１９】
図１において、１は釣り針、２はハリス、３はビデオカメラ、４は釣り糸であるケーブル、５はケーブル巻き上げリール、６は竿、７はモニターテレビ、８は電源、９は錘である。
【００２０】
ビデオカメラ３にはハリス２によって錘９が接続され、その間に１つあるいは複数の釣り針が結びつけられている。そして、ビデオカメラ３は釣り針１やその付近の水中の様子を撮影し映像信号を出力する。この映像信号はケーブル４およびケーブル巻き上げリール５を介してモニターテレビ７に伝達される。モニターテレビ７では、伝達された映像信号を画面に出力することにより、ビデオカメラ３により撮影された水中の映像を釣り人に表示する。またビデオカメラ３に必要な電力は、電源８よりケーブル４およびケーブル巻き上げリール５を介してビデオカメラ３に供給され、ビデオカメラ３を動作させるようになっている。
【００２１】
図２において、４のケーブル、５のケーブル巻き上げリール、６の竿、７のモニターテレビについては図１で説明したものと同様である。１１はケーブル巻き取りドラム、１２はリールの外枠、１３は巻き上げ棒、１４はハンドルである。
【００２２】
リールの外枠１２は、竿６に固定されており、ケーブル巻き取りドラム１１は、ハンドル１４により回転させてケーブル４を巻き取る。釣り人がハンドル１４を持ちそれを回転させると、その力は巻き上げ棒１３を介して外枠１２内に内蔵のギヤボックス（不図示）を介してケーブル巻き取りドラム１１を回転させ、釣り針側のケーブル４を巻き取るようになっており、釣り人の望むように釣り針側のケーブル４の長さを調節することができる。
【００２３】
図３は、本発明の第１の実施の形態におけるケーブル巻き上げリール５の詳細説明図である。図３において、４はケーブル、１１はケーブル巻き取りドラム、１２はリールの外枠、２１は本体側電気接続用プレート、２２は電気接続用突起、２３はドラム側電気接続用プレート、２４はリールの中心軸、２５は信号伝達部である。また、図４は、本発明の第１の実施の形態における信号伝達部２５を説明するための図である。これらの図を基に、ケーブル巻き上げリール５および信号伝達部２５の構成及び動作について説明する。
【００２４】
図４において、ケーブル巻き取りドラム１１は竿６（不図示）に固定された外枠１２に対し、中心軸２４を中心に回転することで釣り人側のケーブル４を巻き取るようになっている。そして外枠１２には本体側電気接続用プレート２１が取り付けられ、本体側電気接続用プレート２１の表面には電気接続用突起２２が備え付けられている。またケーブル巻き取りドラム１１にはドラム側電気接続用プレート２３が取り付けられており、本体側電気接続用プレート２１とドラム側電気接続用プレート２３が双方とも中心軸２４を中心として相対するように位置し、電気接続用突起２２がドラム側電気接続用プレート２３と常に接触する位置関係を保つ構成とする。本体側電気接続用プレート２１には釣り人側のケーブル４が接続され、またドラム側電気接続用プレート２３には釣り針側ケーブル４が接続されることで、ケーブル４の巻き取り機構を実現しつつ、ケーブル４の釣り人側と釣り針側の電気的導通を確保する事ができる。
【００２５】
図５は、図４における信号伝達部２５に着目した図であり、本体側電気接続用プレート２１及びドラム側電気接続用プレート２３の位置関係を示している。このように本体側電気接続用プレート２１及びドラム側電気接続用プレート２３は中心軸２４を中心として同心円上に配置され、この例ではもっとも外側から内側に向けて、電力伝送用の１２Ｖ、ＧＮＤ、そして映像信号伝送用のＶｉｄｅｏ、ＧＮＤの４線が、両者にそれぞれ接続されている。このように各線が同心円上に配置されることにより、ケーブル巻き取りドラム１１が回転しても両者の位置関係は変化しない。
【００２６】
この機構を用いることで、釣り人は釣り糸の長さを自由に制御しつつ、実際に映像で水中の様子を確認しながら釣りを楽しむことができ、撮像装置を用いた釣り具の適用範囲を大きく広げることが可能になる。
【００２７】
ここで電気接続用突起２２は、本実施の形態では本体側電気接続用プレート２１の４線に対し１６突起とし十字に配置されているが、もちろんこれに限るものではなく、様々な位置関係及び個数が考えられる。特に電気接続用突起２２とドラム側電気接続用プレート２３とは常に接触している必要があることから両側から強力に押さえつける必要があり、特に電気接続用突起２２の部分には大きな圧力がかかる。このため本体側電気接続用プレート２１、電気接続用突起２２、ドラム側電気接続用プレート２３ともに圧力に対して変形しない構造あるいは材質を用いる必要がある。これを避けるためには本体側電気接続用プレート２１とドラム側電気接続用プレート２３の両者に圧力が均等にかかるように電気接続用突起の位置を例えば図５のように均等（例えば現在の４線１６突起なら、各線毎の４突起の位置関係は９０度間隔を保ちつつ、各線間の相対的な位相関係を４５度ずつ変化させる等）に配置すればよい。これにより本体側電気接続用プレート２１およびドラム側電気接続用プレート２３にはその全面に均等に圧力がかかることになり、変形に対する対策を軽減することができるため、その経済的効果は高い。
【００２８】
なお、図３では信号伝達部２５とケーブル４との接続をケーブル巻き取りリールの外部で行う構成にて説明したが、ケーブル巻き取りリール内部にて接続することも可能であることは言うまでもない。
【００２９】
（実施の形態２）
次に図６に、本発明が適用された撮像装置を用いた釣り具の第２の実施の形態の機能ブロック図を示す。図６において、３のビデオカメラ、４のケーブル、５のケーブル巻き上げリール、７のモニターテレビ、８の電源については前記図１〜図５の実施の形態で説明したものと同様である。次にケーブル巻き上げリール５の内部について説明すると、２５の信号伝達部は前記実施の形態で説明したものと同様であり、図３における本体側電気接続用プレート２１と電気接続用突起２２、ドラム側電気接続用プレート２３をまとめて機械式電気接点３７として表現している。３１は変調部、３２は復調部、３３は映像スイッチ、３４は電源スイッチ、３５は回転検出部、３６は速度判定部である。
【００３０】
以上に挙げられた機能ブロック図につきその動作を説明すると、ビデオカメラ３より出力された映像信号はケーブル４を介してケーブル巻き上げリール５内に入り、変調部３１に入力される。ここで変調部３１では入力された映像信号に対し振幅変調に代表される変調動作を行う。そして、変調された映像信号は機械式電気接点３７を通って復調部３２に入力される。復調部３２では変調部３１に対応した復調動作が行われ、復調部３２からは元の映像信号が出力される。そして、映像信号は映像スイッチ３３を経由した後ケーブル巻き上げリール５から出力され、ケーブル４を通ってモニターテレビ７に入力され、モニター上にビデオカメラ３にて撮影された映像が映し出される。
【００３１】
また、電源８より出力された１２Ｖは、ケーブル４を経由してケーブル巻き上げリール５内に入力される。ケーブル巻き上げリール５内では、電源スイッチ３４と機械式電気接点３７を経て、再度ケーブル巻き上げリール５から出力され、ケーブル４を通じてビデオカメラ３に１２Ｖが供給され、ビデオカメラ３を動作させる。
【００３２】
上記構成を取ることにより次のような有用性を得ることができる。
【００３３】
まず、映像信号を伝送する際に機械式電気接点３７を経由した場合、機械式電気接点３７では前述のようにリールがケーブルを巻き取っている際には接点同士が接触しながら動いているため、ここでのノイズの発生は避けられず映像信号に少なからず影響を与えてしまう。この影響を防ぐために、機械式電気接点３７の前段に変調部３１、後段に復調部３２を設けることで、変調波に対してノイズが重畳されることになり、モニターテレビ７に入力される映像信号に対してノイズの影響を最小限に防ぐことができる。特に、周波数変調などの振幅方向のノイズに対する耐性が強い変調方式を用いた場合にはその効果は更に高くなり非常に有用である。
【００３４】
又、ケーブル巻き取りドラム１１が回転しているか否かを検出する回転検出部３５およびケーブル巻き取りドラム１１の回転速度を検出する速度判定部３６を設け、回転検出部３５及び速度判定部３６の出力に応じて映像スイッチ３３および電源スイッチ３４の制御を行う構成とする。
【００３５】
ここで、回転検出部３５の具体的な一例を説明する。ケーブル巻き取りドラムの側面に、中心軸を中心とした同心円状に任意の等間隔でいくつか反射材を設ける。そしてその反射材に向かってある角度で光を照射し、反射材により反射された光の先に受光センサーを置く構成とする。ここで、ケーブル巻き取りドラムが回転すると、受光センサーの出力は、ケーブル巻き取りドラムが静止しているときは光を受光するかあるいは受光しないかのどちらかで変化しないが、ケーブル巻き取りドラムが回転すると、その速度に応じた周波数にて点滅する。従って、その周波数を検知することによりケーブル巻き取りドラムの回転を検出し、またその速度を検出する事が可能になる。
【００３６】
これにより、さまざまな条件下において映像スイッチ３３及び電源スイッチ３４を制御することができ、省エネルギーと使いやすさを実現することができる。以下にその一例を説明する。
【００３７】
まずケーブル巻き取りドラム１１が回転しているとき、すなわちケーブル４をリールに巻き上げているときは、前述のように映像信号にはノイズが乗りやすい。またこのときビデオカメラから送られてくる映像は、当然ながらビデオカメラが動いているため画面が回転したり、揺れたりするなど見苦しい画像になることが多い。このためケーブル巻き取りドラム１１が回転しているときには映像スイッチ３３をオフにすることで見苦しい映像をモニターテレビ７側に送ることをストップさせることができる。
【００３８】
また、速度判定部３６の出力を用いて更に高度な制御を行うことができる。まず、魚をおびき出す時など、ゆっくりリールを巻き上げている時は撮影を継続しておき、魚が針にかかってリールを高速に巻き上げつり上げようとしているときには撮影を休止したいという場合でも、回転検出部３５と速度判定部３６があれば、リールが回転しているか、そしてその回転速度は速いかという判断を行うことが可能になり、細かなスイッチ制御が可能になる。
【００３９】
また、上記画像信号の制御に合わせて電源スイッチ３４をオンオフにすることによりビデオカメラ３への電力供給を制御する事で、省電力を達成することができる。本実施の形態のように通常屋外で使用するシステムでは、電源には電池を使用することが多いため、省電力への対応は非常に有用である。ここで回転検出部３５と速度判定部３６は別々のものとして説明したが、同一の装置でも構成が可能であることは言うまでもない。
【００４０】
以上の第２の実施の形態において、３７の機械式電気接点、３１の変調部、３２の復調部、３３の映像スイッチ、３４の電源スイッチ、３５の回転検出部、３６の速度判定部については、５のケーブル巻き上げリール内に存在するとして説明したが、これらのうち一部を５のケーブル巻き上げリールの外側に構成しても同様の効果が得られることは言うまでもない。
【００４１】
（実施の形態３）
次に図７に、本発明が適用された撮像装置を用いた釣り具の第３の実施の形態の機能ブロック図を示す。この実施の形態は、前記第１及び第２の実施の形態を基本的に踏襲するものであるため、これと異なる部分についてのみ説明を追加する。
【００４２】
図７において、４１はビデオカメラ１、４２はビデオカメラ２、４３は変調部１、４４は変調部２、４５は混合部、４６は分離部、４７は復調部１、４８は復調部２、４９は切り替えスイッチである。その他の項目については第１及び第２の実施の形態と同様の機能を果たすものである。
【００４３】
以上に挙げられた機能ブロック図につきその動作を説明すると、４１のビデオカメラ１より出力された映像信号は、４３の変調部１に入力される。ここで４３の変調部１では入力された映像信号に対し変調動作を行う。同様に４２のビデオカメラ２より出力された映像信号は、４４の変調部２に入力される。ここで４４の変調部２では入力された映像信号に対し変調動作を行う。ただし４４の変調部２では、４３の変調部１とは異なる方式あるいは異なる基本周波数等にて変調動作を行う。そして、４１のビデオカメラ１より出力され変調された映像信号と、４２のビデオカメラ２より出力され変調された映像信号は４５の混合部に入力され、混合映像信号を出力する。そして、混合部４５より出力された混合映像信号はケーブル４及び機械式電気接点３７を経由して４６の分離部に入力される。分離部４６では、入力された混合映像信号を分離し、４７の復調部１および４８の復調部２のそれぞれに映像信号を出力する。４７の復調部１および４８の復調部２では、４３の変調部１および４４の変調部２に対応した復調動作を行い、４１のビデオカメラ１からの映像信号および４２のビデオカメラ２からの映像信号をそれぞれ出力する。そして双方の映像信号は４９の切り替えスイッチに入力され、ここでどちらかの映像信号が選択され出力される。そして切り替えスイッチ４９より出力された映像信号がモニターテレビ７に入力されることで、４１のビデオカメラ１あるいは４２のビデオカメラ２の撮影した映像をモニターテレビ上に映し出す構成になっている。
【００４４】
この構成を取ることにより、１組のケーブル及び機械式電気接点３７を用いて２つのカメラの情報を伝送することができ、機器の低コスト化に貢献することができるため非常に有用である。
【００４５】
なお、上記実施の形態では２台のビデオカメラを例に挙げて説明したが、３台以上のビデオカメラを用いても同様の効果が得られることは言うまでもない。また、上記実施の形態では切り替えスイッチ４９を用いて１台のモニターテレビを用いる例を説明したが、切り替えスイッチ４９を用意せず、２台のモニターテレビを用いることもできる。
【００４６】
（実施の形態４）
次に図８に、本発明が適用された撮像装置を用いた釣り具の第４の実施の形態の機能ブロック図を示す。この実施の形態は、前記第２の実施の形態を基本的に踏襲するものであるため、これと異なる部分についてのみ説明を追加する。
【００４７】
図８において、３のビデオカメラ、４のケーブル、５のケーブル巻き上げリール、７のモニターテレビ、８の電源については前記図１〜図５の実施の形態で説明したものと同様である。次にケーブル巻き上げリール５の内部について説明すると、２５の信号伝達部内の３７の機械式電気接点は前記第１の実施の形態で説明したものと同様である。３１は変調部、３２は復調部、３３は映像スイッチ、３４は電源スイッチ、３５は回転検出部、３６は速度判定部である。第２の実施の形態との違いは、２５の信号伝達部内の映像信号の伝送系の接続方法が、機械式電気接点から光学伝送部５１に置き換わっていることである。ここで光学伝送部５１について、図面を参照しながら詳しく説明する。
【００４８】
図９は、図８における光学伝送部５１の機能ブロックの第１の例を示したものである。図９において、６１は増幅部、６２は発光部、６３は受光部、６４は増幅部である。ここでその動作について説明すると、光学伝送部５１に入力された映像信号は、まず最初に増幅部６１にて増幅される。そして増幅されて映像信号は発光部６２において電光変換され、光信号となって送出される。そして送出された光信号は受光部６３に入射され、ここで光電変換を行い映像信号に変換される。そして受光部６３より出力された映像信号は増幅部６４により増幅され、光学伝送部５１の出力として出力される。
【００４９】
前記本発明の第２の実施の形態でも触れたように機械式電気接点を用いた場合、ノイズの発生を避けることは難しい。従って、本構成を用いることにより映像信号の伝送に際しノイズの発生を抑えることができ、高品質な映像信号を得ることができる。
【００５０】
図１０は、図８における光学伝送部５１の機能ブロックの第２の例を示したものである。図１０の各構成要素は図９の構成要素と同様である。第１の例との違いは、発光部６２および受光部６３を複数にしたことであり、これを行うことで発光部の総合的な発光出力が増大することと、受光部の受信性能が向上することから、光学伝送部におけるＳＮ比の向上を図ることができる。もちろん、上記例は発光部あるいは受光部のどちらかのみを複数にすることも可能であることは言うまでもない。
【００５１】
上記実施の形態では、光学伝送部５１における発光部６２から出力される光については特に規定をしていないが、この光を赤外線にすることも可能である。通常釣りは屋外で行い、また昼間行うことが多い。ここで日中の太陽光の代表的な例として色温度６５００度ケルビンの光をあげることができる。色温度が６５００度ケルビンの光は、赤外線の成分は少なく、可視領域の光が主たる成分である。したがって、光学伝送部の部分に用いる光線を赤外線とすることにより、外来光による影響を少なくすることが可能になり、光学伝送部の部分におけるＳＮ比の向上や、ＳＮ比の向上を利用して発光部の出力を小さくすることが可能になり省電力化に寄与することもできる。
【００５２】
ここで、前述の第２の実施の形態では機械式電気接点３７によるノイズの影響を避けるため変調部３１および復調部３２を導入したが、本実施の形態のように光学伝送部５１を用いた場合でもその効果が不要になるわけではない。
【００５３】
前述の赤外線を用いた場合でも説明したが、信号伝達部２５に光を用いた場合、外来光による影響が問題となる。この場合、変調部および復調部を導入し、例えば振幅方向の耐ノイズ性に優れた周波数変調等を行えば、外来光による影響は振幅方向であるためその影響を最小限に抑えることができ、更に高品質の映像を得ることができる。
【００５４】
図１１は、本発明の第４の実施の形態におけるケーブル巻き上げリール５の詳細説明図である。図１２は、本発明の第４の実施の形態における信号伝達部２５を説明するための図である。これらの図を基に、ケーブル巻き上げリール５および信号伝達部２５の構成及び動作について説明する。
【００５５】
図１１において、１１のケーブル巻き取りドラムは竿６（不図示）に固定された１２の外枠に対し、２４の中心軸を中心に回転し、ケーブル４を巻き取るようになっている。そして外枠１２には本体側電気接続用プレート２１が取り付けられ、本体側電気接続用プレート２１の表面には電気接続用突起２２が備え付けられている。またケーブル巻き取りドラム１１にはドラム側電気接続用プレート２３が取り付けられており、本体側電気接続用プレート２１とドラム側電気接続用プレート２３が双方とも中心軸２４を中心として相対するように位置し、電気接続用突起２２がドラム側電気接続用プレート２３と常に接触する位置関係を保つ構成とする。ただし、第２の実施の形態と異なり、中心軸２４は外枠１２の両側を貫通するのではなく、片側からのみ支持している構成となる。
【００５６】
そして、中心軸２４の延長線上に相当するが、本体側電気接続用プレート２１の中心に受光部６３、ドラム側電気接続用プレート２３の中心に発光部６２を設け、双方が相対するように位置する。
【００５７】
本体側電気接続用プレート２１には釣り人側のケーブル４のうち電力供給側（この例では１２ＶおよびＧＮＤ）が接続され、またドラム側電気接続用プレート２３についても釣り針側ケーブル４のうち電力供給側が接続されることで、ケーブル４の巻き取り機構を実現しつつ、ケーブル４を用いて釣り人側から釣り針側への電力供給を確保する事ができる。
【００５８】
図１２は、信号伝達部２５を詳しく説明したもので、本体側電気接続用プレート２１及びドラム側電気接続用プレート２３の位置関係を示した図である。このように両者は中心軸２４を中心として同心円上に配置され、この例ではもっとも外側から内側に向けて、電力用の１２Ｖ、ＧＮＤが配置されている。また前述のように、本体側電気接続用プレート２１の中心に受光部６３、ドラム側電気接続用プレート２３の中心に発光部６２を設け、双方が相対するように位置している。
【００５９】
本構成を取ることにより、発光部及び受光部の相対位置を合わせる必要がなくなるため、複雑な機構を必要とせず発光部および受光部を１組用意するだけでよい。また発光部及び受光部が非常に近距離にて相向かい合う構成を取ることができるため、発光部の発光強度および受光部の感度も小さくてすみ、低コストな部品を使用することが可能になることから、経済的に非常に有用である。
【００６０】
（実施の形態５）
次に本発明の第５の実施の形態について、図面を参照しながら説明する。
【００６１】
図１３は、本発明の第５の実施の形態におけるケーブル巻き取りリールを説明するための図である。本実施の形態は、前記第４の実施の形態を基本的に踏襲するものであるため、これと異なる部分についてのみ説明を追加する。
【００６２】
図１３において、１１のケーブル巻き取りドラムは１２の外枠に対し、２４の中心軸を中心に回転し、ケーブル４を巻き取るようになっている。そして、ケーブル巻き取りドラムの中心軸２４の延長線上に発光部６２を設け、またそれに相対するように外枠１２の中心に光ファイバー７１が配置されている。そして、光ファイバー７１の釣り人側には光信号を電気信号に変換する光電変換部７３が用意される。また、ケーブル巻き取りドラム１１内部には電池７２が配置されている。
【００６３】
ここで、上記実施の形態の動作について説明すると、ケーブル巻き取りドラム１１内の電池７２にはケーブル４の電源ラインが接続され、ここからビデオカメラ３に電力が供給される。また、ビデオカメラ３から出力された映像信号は６２の発光部に入力されここで光信号に変換される。そして発光された光信号は、発光部６２と相対する光ファイバー７１に入射された後、光ファイバーを通じて伝送され、後段の光電変換部７３に伝送される。光信号に変換された映像信号は、ここで光電変換されて元の映像信号に戻され、次段のモニターテレビに送られて画面に映像信号を映し出すようになっている。
【００６４】
本構成を取ることにより、ケーブル巻き取りドラム１１内に電池７２を内蔵しており、また光により映像信号を伝送しているため、機械式電気接点が不要となり、ノイズの発生を防ぐことができるほか塩害による電極の腐食を防いだり、機械部品が壊れるのを未然に防ぐことができ、ケーブル巻き上げリールの耐久性能を飛躍的に高めることができるため非常に有用である。
【００６５】
また、光ファイバーを用いることで光電変換部７３をリールからはなすことが可能になり、ケーブル巻き上げリールの電気的な気密を高めることが容易になる。またケーブル巻き上げリールの設計が容易になる等、その経済的効果は高い。
【００６６】
また、ケーブル巻き取りドラム内に発電装置を設け、ケーブル巻き取りドラムの回転に応じて発電を行い、その出力を前述の電池７２に接続することで電池７２を充電する構成とすることも可能である。これにより、釣りをしている最中は、頻繁に糸を巻き上げる操作を行うことから効率的に発電を行うことができ、前述の電池７２の寿命を大幅に伸ばすことが可能になる。
【００６７】
以上、本発明を実施の形態に基づき具体的に説明したが、本発明は上記実施の形態に限定されるものではなく、その要旨を逸脱しない範囲で種々変更可能である。また、第２の実施の形態で説明した変調および回転検出部と第４の実施の形態で説明した光学伝送部を組み合わせるなど、その組み合わせについても様々なものが提案できるのは言うまでもない。
【００６８】
【発明の効果】
本発明によれば、釣り人は釣り糸の長さを自由に制御しつつ、実際に映像で水中の様子を確認しながら釣りを楽しむことができる。様々な環境下でも魚がいると思われるポイントに餌のついた針を持っていくことができ、また海など魚がいると思われるポイントが非常に深いところでも使用することができるようになり、撮像装置を用いた釣り具の適用範囲を大きく広げることが可能になる。
【図面の簡単な説明】
【図１】本発明の第１の実施の形態における撮像装置を用いた釣り具の全体の構成を示す図
【図２】本発明の第１の実施の形態におけるケーブル巻き上げリール付近に着目した図
【図３】本発明の第１の実施の形態におけるケーブル巻き上げリールの詳細説明図
【図４】本発明の第１の実施の形態におけるケーブル巻き上げリールの機械式電気接点に着目した第１の図
【図５】本発明の第１の実施の形態におけるケーブル巻き上げリールの機械式電気接点に着目した第２の図
【図６】本発明の第２の実施の形態における機能ブロック図
【図７】本発明の第３の実施の形態における機能ブロック図
【図８】本発明の第４の実施の形態における機能ブロック図
【図９】本発明の第４の実施の形態における光学式電気接点の機能ブロックの第１の例を示す図
【図１０】本発明の第４の実施の形態における光学式電気接点の機能ブロックの第２の例を示す図
【図１１】本発明の第４の実施の形態におけるケーブル巻き上げリールの第１の詳細説明図
【図１２】本発明の第４の実施の形態におけるケーブル巻き上げリールの本体側電気接続用プレートとドラム側電気接続用プレートの位置関係を示した図
【図１３】本発明の第５の実施の形態におけるケーブル巻き上げリールの説明図
【符号の説明】
１  釣り針
２  ハリス
３  ビデオカメラ
４  ケーブル（釣り糸）
５  ケーブル巻き上げリール
６  竿
７  モニターテレビ
８  電源
９  錘
１１  ケーブル巻き取りドラム
１２  外枠
１３  巻き上げ棒
１４  ハンドル
２１  本体側電気接続用プレート
２２  電気接続用突起
２３  ドラム側電気接続用プレート
２４  中心軸
２５  信号伝達部
３１  変調部
３２  復調部
３３  映像スイッチ
３４  電源スイッチ
３５  回転検出部
３６  速度判定部
３７  機械式電気接点
４１  ビデオカメラ１
４２  ビデオカメラ２
４３  変調部１
４４  変調部２
４５  混合部
４６  分離部
４７  復調部１
４８  復調部２
４９  切り替えスイッチ
５１  光学伝送部
６１  増幅部
６２  発光部
６３  受光部
６４  増幅部
７１  光ファイバー
７２  電池
７３  光電変換部
【図１】
0003807137.tif 000002
【図２】
0003807137.tif 000003
【図３】
0003807137.tif 000004
【図４】
0003807137.tif 000005
【図５】
0003807137.tif 000006
【図６】
0003807137.tif 000007
【図７】
0003807137.tif 000008
【図８】
0003807137.tif 000009
【図９】
0003807137.tif 000010
【図１０】
0003807137.tif 000011
【図１１】
0003807137.tif 000012
【図１２】
0003807137.tif 000013
【図１３】
0003807137.tif 000014